(57)【特許請求の範囲】
【請求項１】
二つの湾曲した分岐部を備えたブレスレット用留め具であって、これらの分岐部の内の第一の分岐部をこれらの分岐部の内の第二の分岐部上に且つ／又は第二の分岐部内に折り畳むと共に前記第一の分岐部を概ね該第二の分岐部の延長線上に配置するために、これら分岐部は夫々の第一の端部により相互に関節結合されており、当該二つの分岐部の各第二の端部はブレスレットの二つの端部に接続するようになっており、これらの二つの分岐部は各分岐部を折畳み位置に保持する相互取付手段を含む、ブレスレット用留め具において、
関節結合用の前記第一の分岐部の前記第二の端部は、平行な関節結合軸心を有するリンク手段を含み、ひとつの関節結合軸心は前記リンク手段を該第一の分岐部に接続し、且つ、少なくとも第二の関節結合軸心は、前記ブレスレットの一端に対し且つ前記相互取付手段を分離し得る力を及ぼして留め具の開放を起動する起動部材に対して前記リンク手段を接続しており、
前記起動部材はレバーを含み、該レバーの一端は前記第二の分岐部に当接し、且つ、該レバーの他端は前記相互取付手段を分離する前記力を及ぼす把持手段を形成する、
ブレスレット用留め具。
【請求項２】
前記リンク手段は三つの平行な関節結合軸心を有し、第一の関節結合軸心は前記リンク手段を前記第一の分岐部に接続し、別の関節結合軸心は前記リンク手段を前記ブレスレットの一端に接続し、且つ、第三の関節結合軸心は前記相互取付手段を分離し得る力を及ぼすべく前記起動部材に対して前記リンク手段を接続する、請求項１記載の留め具。
【請求項３】
前記相互取付手段は、関節結合用の前記分岐部の一方と一体的な円筒状要素を含む、請求項１または２に記載の留め具。
【請求項４】
前記相互取付手段のひとつは、前記円筒状要素の回りで自由枢動する管状要素から成る、請求項３記載の留め具。
【請求項５】
前記第一の分岐部と関節結合された前記リンク手段の一部は略半円筒状の表面を有することにより、該第一の分岐部がその折畳み位置からその展開位置へと通過する間に、前記ひとつの関節結合軸心の回りにて１８０°に亙り前記リンク手段が回動するのを許容する、請求項１から４のいずれか一項に記載の留め具。
【請求項６】
前記リンク手段は二つの要素を含み、
一方の要素はカバーから成り、該カバーは、関節結合用の前記分岐部上を少なくとも部分的にカバーする表面と、これら分岐部のそれぞれの端部の間に位置する側に前記分岐部の長手方向に沿って延在する二つの側面であって前記ブレスレットを該カバーに選択的に固定すべく当該留め具に関して横手方向に整列され且つ長手方向に離間された数対の固定要素を有する二つの側面と、を備え、且つ、
他方の要素は、前記カバーを位置決めする位置決め手段と、該位置決め手段により位置決めされた位置において前記カバーを前記他方の要素にリンクする組立て手段とを有することを特徴とする、請求項１から５のいずれか一項に記載の留め具。
【請求項７】
前記管状要素がその上で枢動する前記円筒状要素は、関節結合用の前記分岐部のひとつに着脱可能に固定される、請求項４に記載の留め具。
【請求項８】
相互取付手段の一方である調節可能スタッドには調節手段が組合わされており、前記調節手段は、前記調節可能スタッドの外形と同じ直径の円形凹部を有する調節部材を含んでおり、前記調節部材の軸心に対する前記調節可能スタッドのそれぞれの半径方向距離は、該調節可能スタッドが相互取付手段の他方に対して貫通するのを調節するために変化する、請求項１から７のいずれか一項に記載の留め具。
【請求項９】
前記起動部材を休止位置に保持する第二の相互取付手段を含む、請求項１から８のいずれか一項に記載の留め具。
【請求項１０】
前記第一の分岐部に対する前記起動部材の枢動を制限する表面を含む、請求項１から９のいずれか一項に記載の留め具。
【発明の詳細な説明】
【０００１】
【発明の属する技術分野】
本発明は、夫々の第一の端部により相互に関節結合（ａｒｔｉｃｕｌａｔｅ）された二つの分岐部を備えたブレスレット用留め具であって、これらの分岐部の内の第一の分岐部をこれらの分岐部の内の第二の分岐部上に且つ／又は第二の分岐部内に折り畳むと共に前記第一の分岐部を概ね該第二の分岐部の延長線上に載置すべく前記第一の分岐部を拡開することを可能とする一方、当該二つの分岐部の各第二の端部は特に腕時計用のブレスレットの二つの端部に接続するようになっており、これらの二つの分岐部は各分岐部を折畳み位置に保持する相互取付手段を含む、ブレスレット用留め具に関する。
【０００２】
【従来の技術】
この種の留め具は公知であり、多様な形態で存在している。一定の留め具において、カバーにより他方の分岐部上に／内に折り畳まれた留め具の分岐部に対してブレスレットの一端が接続されるが、閉じ位置において前記留め具の各側上に在るという前記カバーの各平行側面は、前記ブレスレットの端部の関節結合用ピンの受容させるべく横手方向に整列され且つ長手方向に離間された数対の孔を含んでいる。これらの孔対に依れば、ブレスレットの長さが調節され得る。また、この種の他の留め具において、ブレスレットの端部は第一の分岐部の第二の端部に対して直接的に関節結合されることから、閉じ位置においてブレスレットは留め具を覆い隠す。
【０００３】
この種の一定のブレスレットにおいて、相互に関節結合された各分岐部は、スタンプ成形された薄寸金属から作成されると共に、折畳み位置にては相互にカバーする。これらの分岐部は、手首の形状に整合すべく湾曲される。これらの分岐部の相互に対する結合は、前記湾曲の曲率の半径の機能である。もしこれらのブレードが薄寸金属から作成されるなら、これらの分岐部間の結合の力を調節すべく、前記湾曲の曲率の半径を一方向もしくは他方向に改変することが可能である。
【０００４】
この種のブレスレットは特にＥＰ  ０８６５７４２において既に提案されており、該ＥＰ  ０８６５７４２において留め具の各分岐部は、これらの分岐部の湾曲を改変することにより結合力（ａｔｔａｃｈｉｎｇ  ｆｏｒｃｅ）の更なる調節を許容し得ない更に厚寸で更に堅固な材料で加工されている。斯かる留め具によれば各分岐部の結合力を前記の如き簡素な手段ではもはや調節し得ないことから、正確で耐久性の在る結合手段を設計することが必要である。と言うのも、該留め具は該留め具のカバーに付加されて該カバーの内側に位置決めされた各結合要素を含むからであるが、これらの付加および位置決めは、第一には前記カバーの内側の位置に整合する該結合要素の形状に依るものであり、第二にはこれらの結合要素を横断貫通するロッドであって前記留め具の各側に配置された留め具カバーの各側面において前記各結合要素の各端部に固定されたロッドに依るものである。
【０００５】
【発明が解決しようとする課題】
この配置構成は種々の欠点を呈するが、ひとつの欠点は、該留め具が前記各結合要素を受容する役割を果たすカバーを備えた留め具とされるべき事実に由来する。更なる欠点は、前記各結合要素を分離するために必要な力の全てがユーザにより直接的に供給されることから一定の限界を超えることが出来ず、閉鎖の固定を損なうという事実に由来する。そして更なる欠点は、この種の留め具の大部分におけるのと同様に、カバーが大きな把持表面を提供することからカバーを引張ることにより直接的に開放が行われるが、これは前記留め具の不測の開放のリスクを増加する、という事実に由来する。
【０００６】
【課題を解決するための手段】
本発明の目的は、捕捉を考慮すると共に、手首への打撃、もしくは、たとえばユーザが拍手したりテーブルを拳で叩いたりするときなどに生じ得る激しい衝撃の結果としての引張力を考慮し、不測の開放に対するこの種の留め具の閉鎖の確実さ（ｃｌｕｓｒｅ  ｓｅｃｕｒｉｔｙ）を改良するにある。本発明の目的はまた、各結合要素を分離するために必要な力を依然として増加し得ると同時に、ブレスレットの開放を促進するにある。本発明の更なる目的は、留め具を最大限に開放することによりブレスレットに対する手の貫通を促進すべく、留め具の各分岐部および該各分岐部に接続されたブレスレットを少なくとも１８０°まで枢動させ得るにある。本発明の更なる目的は、当該留め具がカバーを含むときも含まないときも該留め具が概ね同一な基本部分を有するのを可能とするにある。
【０００７】
この目的の為に、本発明の主題は、請求項１にて限定された如き前記の種類のブレスレット用留め具である。
【０００８】
提案された解決策の各利点のひとつは、前記の目的から帰着する利点に加え、その簡素さと、必要な部品数が少ないことに在る。実際、本発明に係る留め具の種々の改良にも関わらず、これらの改良は簡素さを損なうが故に提案解決策の信頼性を損なうことで得られるのではないことが理解され得る。斯かる留め具の操作はユーザに対して高レベルの簡便性により特徴付けられてユーザに対し相当な確実さの感触を与えるが、これは留め具の外観により増進されると共に、まさに小寸の精密機構を構成するものである。
【０００９】
【発明の実施の形態】
添付の各図面は、本発明の主題である留め具の実施例ならびに幾つかの変更実施例を概略的に且つ例示的に示している。
図１乃至図７に示された留め具は、ロッド３の回りにおいて夫々の端部の一方により相互に関節結合された二つの湾曲分岐部１、２を含んでいる。これらの湾曲分岐部１、２は好適にはスタンプ成形された薄寸金属では無く加工された部品であることから、それらは比較的に堅固に作成される。故に図２に示された如く該留め具は過剰に厚寸とはならず、折畳み位置にて分岐部１の厚みは、分岐部２の中心に配備された中央凹部２ａ内に完全に収納される。
【００１０】
凹部２ａの底部２ｂは結合用スタッド４を有するが、該結合用スタッド４の結合面は、湾曲分岐部１、２の関節結合用ピン３上に中心が在る円であってその半径は該ピンと結合用スタッド４の最遠箇所との間の距離に対応するという円の接線に対し、角度αを形成する。各結合部材を湾曲分岐部１、２間に収容すべく、分岐部２の底部２ｂの曲率の半径は僅かに減少してから該曲率は反転されることから、他方の分岐部１に関節結合された端部とは逆となる分岐部２の端部において僅かに高位となる凹部部分２ａを提供する。
【００１１】
矩形凹部１ａ（図１）は分岐部２に関節結合されたのとは逆となる分岐部１の端部に配備され、該凹部１ａの各側における二つの平行なアーム１ｂ、１ｃを形成する。各アームは二つの孔５ａ、５ｂおよび６ａ、６ｂを夫々含むが、これらの孔は対毎に整列されて、これらの孔５ａ、５ｂおよび６ａ、６ｂ内に夫々設定される枢動ロッド７、８を受容するようになる。枢動ロッド７はリンク／関節結合部材９の開口９ａを貫通する一方、枢動ロッド８は、分岐部２の結合用スタッド４の傾斜面（図５）に対して結合するようになっている前記留め具の分岐部１の結合要素を構成する管材１０の円筒状開口を無拘束で貫通する。
【００１２】
リンク／関節結合部材９は、前記留め具の各分岐部１、２の横手方向に配向された略半円筒状の主要部分９ｃを有する。枢動ロッド７に対する開口９ａは、主要部分９ｃに対して偏心されて該主要部分９ｃから下方に突出する半円筒状の突起９ｂ内に配備される。
【００１３】
リンク部材９の主要部分９ｃは二つの開口９ｄ、９ｅにより横断貫通されるが、これらの開口は該半円筒状部分９ｃの長手軸心に対し且つ突起９ｂの開口９ａに対して平行である。開口９ｅは半円筒状のアセンブリ要素１２を横断貫通するスピンドル１１により（不図示の）ブレスレットの一端のリンクおよび関節結合するようになっているが、該アセンブリ要素１２は横手方向に配向されてリンク部材９と整列される。スピンドル１１は、要素１２の相補物であるアセンブリ要素１３内に螺着される。
【００１４】
アセンブリ要素１２はスピンドル１１と平行に該要素１２の盲孔内に設定された関節結合用ロッド１４を担持するが、該関節結合用ロッド１４の他端は第二のアセンブリ要素１３の対応盲孔内に固定されるようになっている。該関節結合用ロッド１４はリンク部材９の開口９ｄを貫通することから、該リンク部材および前記の二つのアセンブリ要素を相互に固定する。
【００１５】
この関節結合用ロッド１４は、前記留め具の開放を起動する起動部材１５すなわち結合部材４および１０を分離する起動部材１５を無拘束で貫通するが、該起動部材１５は、開口９ｄの軸心を含むリンク部材９の第二の関節結合用ピンの回りに関節結合される。
【００１６】
この起動部材１５は二つの開放用レバー１６、１７を含むが、該開放用レバーは夫々、関節結合用ロッド１４の貫通のために図１では開口１７ｂが見えるという各開口により夫々が横断貫通される半円筒状要素１６ａおよび１７ａから成る。関節結合用ロッド１４の回りにおけるこれらの要素１６ａ、１７ａの枢動を許容すべく、二つの半円筒状要素１６ａおよび１７ａの夫々の外方側面を分離する横手方向距離は、前記留め具の分岐部２の凹部２ａの幅よりも極めて僅かだけ短寸である。これらのレバー１６、１７は、夫々の半円筒状要素１６ａおよび１７ａに固定された二つの支承要素１６ｃ、１７ｃから形成される。これらの支承要素１６ｃ、１７ｃは、図３に示された如く凹部２ａの各側にて分岐部２の上側表面に当接すべく、半円筒状要素１６ａおよび１７ａの夫々の外方側面の外側で延在する。これらの二つの支承要素は、関節結合用ロッド１４の長手軸心に対して夫々の半円筒状要素１６ａおよび１７ａから逆方向に延在する。これらの支承要素１６ｃ、１７ｃが半円筒状要素１６ａおよび１７ａの外側で側方に延在するとすればアセンブリ要素１２、１３は凹部部分を含み、それらの内でアセンブリ要素１３の凹部部分１３ａは図１に見られるが、要素１２の凹部部分１２ａは図３に見られる。
【００１７】
前記二つの半円筒状要素間には把持部材１８が固定され、関節結合用ロッド１４の回りにて開放用レバー１６、１７を枢動することで該開放用レバー１６、１７を操作する役割を果たす。これらの開放用レバー１６、１７の枢動の角度は、凹部部分１２ａ、１３ａの各縁部により制限される。
【００１８】
前記留め具の分岐部２はブレスレット・リンク形態の二つの要素１９、２０に対して固定されるが、要素１９、２０は、該留め具の分岐部１に固定された同一形状のアセンブリ要素１２、１３（図１および図２）に対して長手方向に整列される。これもまた分岐部２に固定された停止部２１は、要素１９、２０の間にて該要素１９、２０から等距離に配置される。停止部２１を貫通すべく要素１９、２０間をスピンドル２２が延在する。該スピンドルは、前記留め具の分岐部２を（不図示の）ブレスレットの他端に接続する役割を果たす。
【００１９】
特に図５を考慮すれば理解され得る如く、前記留め具の二つの分岐部１、２間の枢動ロッド３の軸心上に中心を置く円に対する接線に対して角度αである傾斜面上に対する、分岐部１のロッド８上で枢動される管材１０の係合は、ブレード１が引張力を受ける一方でブレード２が圧縮力を受けることにより達成される。前記二つのブレードは手首の形状に整合すべく僅かに湾曲されることからこれらの力はブレード１、２の弾性変形において反映され、且つ、これらのブレードは薄寸金属から単純にではなく全体として加工により生成されることからスタッド４上への管材１０の結合に要する力は比較的に大きくなり得るが、これにより、衝撃の場合における十分な挙動が保証され得る。更に、管材１０が存在することから、ブレード１の弾性変形が促進されると共に、閉鎖は、前記留め具の閉鎖の間において該ブレード１に圧力が付与される様式に依存しなくなる。
【００２０】
この結合に必要とされる力は、結合用スタッド４から管材１０を解除すべく分岐部１の揚動の間に必要とされる力を減少すべく把持部材１８により起動されるレバー１６、１７の機構により留め具開放が促進されるならば、更に大きくなり得る。実際、特に図６において理解され得る如く、レバー１６、１７が関節結合用ロッド１４の回りで枢動されて把持部材１８を上昇したとき、これらのレバーの要素１６ｃ、１７ｃは、閉じ位置において分岐部１が埋設される凹部２ａのいずれかの側において当該留め具の分岐部２の上側表面に当接し、且つ、ロッド１４に及ぼされるが故に分岐部１の端部が関節結合されるリンク部材９上に及ぼされる力を増加するレバー・アームを形成する。
【００２１】
前記留め具の二つの分岐部１、２が分離されたなら、リンク部材９の半円筒状突起９ｂによりリンク部材９は結合用管材１０の回りを転回移動し得ることから、リンク部材９は、結合用管材１０の左側に在る位置（図５）からリンク部材９がこの管材１０の右側に在る位置（図７）へと移動し、これにより、前記留め具の分岐部２に対する分岐部１の少なくとも１８０°の枢動による前記留め具の最適な開放を許容するとともに、前記留め具の各分岐部に対するブレスレットの各リンクの自由枢動も許容する。このことは重要である、と言うのも、この種の留め具ではブレスレットの各端部は相互から分離されず、且つ、手がブレスレットを貫通し得るべくブレード１、２の枢動によりブレスレットの長さを増加することによってのみ分離されるからである。故に、各分岐部１、２の開放の間においてブレスレットが自由に枢動し得ること、および、ブレスレットと留め具の各分岐部１、２との間の端部リンクもまたこれらの分岐部に対して自由枢動することが重要である。本発明に係る留め具においてこれは、スピンドル１１を介して（不図示の）ブレスレットを分岐部１に接続すると共に枢動ロッド７の回りにおいて少なくとも１８０°に亙り自身が自由に回動し得るリンク部材９に依り可能とされる。
【００２２】
また、図７に示された留め具の開放位置においては留め具の機構のいずれの要素もその内面から突出しないことから、ユーザは手を開放ブレスレットに通しても損傷することは無くまた衣服の部分を捕捉したり衣服を駄目にするリスクも無い、という事実も言及され得る。事実、結合用スタッド４は前記留め具の分岐部２の上側面に突出し、円筒状の結合用管材１０は分岐部１の厚み内に収容される。
【００２３】
このリンク部材に依れば、留め具とブレスレットとの残部の内のレバー１６、１７と把持部材１８とから成る開放用機構の独立的な枢動も許容されることにより、特に以下に記述されるカバーを備えた留め具の変更実施例における不測の開放のリスクが減少される。
【００２４】
結合用管材１０は枢動ロッド８上で枢動すべく取付けられるという事実により、該結合用管材１０に対して企図された複数回の結合および分離操作の結果としての該部分の摩耗が減少され得る。更に、該管材１０は摩耗した場合に変更するのが容易である。
【００２５】
この留め具の更なる利点は、装着者の手首に当接するようになっている分岐部２の下面は塞がれるという事実、および、留め具の閉鎖の間にて体毛を挟み込むリスクが減少される如く、閉鎖機構の全体が分岐部２の凹部２ａ内に配置されるという事実から帰着する。
【００２６】
図８乃至図１０に示された変更例は本質的に、該実施例のリンク部材９が二つの別個のリンク要素２３およびカバー２４から成り、カバー２４は上側壁２４ａと二つの平行な側壁２４ｂ、２４ｃから成る、という事実に依り図１乃至図７の実施例から区別される。リンク要素２３は、リンク部材９の開口９ａおよび９ｄに対応する二つの平行な開口２３ａ、２３ｂにより横断貫通される。特に図９において理解され得る如く、リンク要素２３、２４の内のリンク要素２３の開口２３ｂをバネ内蔵バー（ｓｐｒｕｎｇ  ｂａｒ）２５が横断貫通し、該バーの各端部は他方のリンク要素を形成するカバー２４の側壁２４ｂ、２４ｃの各内側面内に配備された（視認不能な）各盲孔に係合する。これらの盲孔は、図９に見られる各盲孔２４ｄであってリンク要素２３、２４に対して（不図示の）ブレスレットを接続する役割を果たす各盲孔２４ｄと同様である。図９により示される如く、前記リンク部材のリンク要素２３、２４がバー２５により組立てられたとき、リンク要素２３の上側面２３ｃはカバー２４の上側壁の内側面に対して押圧されることにより、これらの二つのリンク要素２３、２４を相互に対して拘束することから、この組立てから帰着する部材は図１乃至図７の実施例のリンク部材９と同一の機能を有する。更にはカバー２４が存在することから、一連の盲孔２４ｄに依りブレスレットの長さが調節され得るが、これは前記リンク部材９では行われ得ない。
【００２７】
図１乃至図７の関節結合用ロッド１４と同様に、バー２５によってもまた、リンク要素２３の各側に配置されると共に当該留め具の分岐部２の上側面に当接する開放用レバー６６、６７の枢動が許容される。これらのレバーは、図１乃至図７におけるレバー１６および１７とまさに同様に作用する。この変更実施例において開放用レバー６６、６７と一体的な把持部材６８は、前記実施例の部材１８とは異なる形状であるが同一の機能を有する。該留め具の残部は図１乃至図７の留め具と全く同一であることから、更なる記述は冗長である。
【００２８】
図１０は各分岐部１、２が拡開位置に在る留め具を示しており、カバー２４およびリンク要素２３は結合用管材１０の回りを回動することにより分岐部１の端部にて少なくとも１８０°に亙り一体的に枢動し得ることが理解され得る。この変更実施例において開放用機構６６、６７、６８と結合用スタッド４との間の独立性によれば、カバー２４を捕捉することによる留め具の不測の開放は防止されるという利点が在る、と言うのも、リンク要素２３と一体的なカバー２４は、結合用スタッド４から結合用管材１０を分離する上では役割の無い関節結合用ロッド７の回りで枢動するからである。
【００２９】
此処まで記述された各留め具は、調節手段も固定デバイス（ｓｅｃｕｒｉｔｙｄｅｖｉｃｅ）も含んでいない。実際、図１乃至図７に示された留め具に対応する一連の試作品に対して種々の試験をしたところ、衝撃および引張力の場合の挙動に関して良好な確実さを提供することが示された。但しこの留め具の設計態様は、該留め具の閉鎖に必要な力の調節手段の使用を可能とすると共に、固定デバイスとも組合され得る。
【００３０】
図１１は、前記各実施例と同様に相互に関節結合された二つの分岐部２６、２７を備えた留め具の変更実施例を示している。この場合に下側分岐部のスタッド４は、ネジ２９により分岐部２７に保持される調節可能スタッド２８のシステムに置換されている。この調節可能スタッドは、分岐部２６と一体的な横手方向枢動ロッド３１上で枢動する結合用管材３０に係合するようになる。
【００３１】
当該調節部材３２の周縁部３２ａにて、調節可能スタッド２８の外側面と同一の半径を有するたとえば４個の円形凹部であって調節部材３２の軸心に対する夫々の径方向距離が相互に対して僅かに変化するという４個の円形凹部を含むという調節部材３２によれば、結合用管材３０の軌跡において該スタッド２８の貫通を調節することにより当該留め具の閉鎖の力を調節することが可能となる。
【００３２】
これはまた、平行な横手方向軸心を有する二つのボアにより横断貫通された連結／結合リンク３３を備えた固定用蓋体も含むが、一方のボアは分岐部２６と一体的な関節結合用ロッド３４を受容し、且つ、他方のボアは当該ブレスレットの第一のリンク３６の関節結合のためのバー３５を受容する。この連結／結合リンク３３は、横手方向結合用シリンダ３９上に掛止するようになっている結合用フィンガ３８を提供する横手方向凹部３７も含んでいる。連結／結合リンク３３は更に、結合用シリンダ３９から結合用フィンガ３８を解除すべくリンク３３を時計回りに枢動するようになっている把持要素４０に固定される。分岐部２６と一体的な傾斜面２６ａによればリンク３３の枢動の度合いが制限されることから、把持要素４０に対して引張力を連続的に及ぼすことにより、スタッド２８から結合用管材３０を分離すること及び留め具の二つの分岐部２６、２７を分離することが可能とされる。
【００３３】
前記各実施例と同様に、二つの枢動軸心を有する連結リンク３３によれば、ブレスレットのリンク３６に対する回転を制限すること無く少なくとも１８０°まで留め具が開放され得る。
【００３４】
図１２の変更実施例は前記実施例とは異なるが、それは、たとえばネジ回しもしくは同様の工具の助けにより調節部材４２を回動して結合用管材３０に対する結合用スタッド４１の貫通量を変更し得る如く、結合用スタッド４１の調節位置が、偏心的に分岐部２７上に回転可能に取付けられた調節部材４２上に固定されるという点のみである。
【００３５】
図１３の変更実施例は前記の二つの実施例と本質的に異なるが、それは、横手方向の三つの関節結合軸心を備えたリンク部材４３が在り、第一の関節結合軸心は留め具の分岐部４５の端部における枢動ロッド４４の回りであり、別の関節結合軸心はブレスレットの関節結合スピンドル４６を受容するものであり、且つ、第三の関節結合軸心は把持部材４８と一体的な開放用部材４７の関節結合に対するという点においてである。この開放用部材４７はまた、管材５０がその上を枢動する横手方向ロッド４９であって、ブレスレットの他端に接続するためにボア５２ａを含む要素５２内のハウジング５１内に掛止するようになっている横手方向ロッド４９も含む。この接続要素５２は、前記留め具の分岐部５３と一体的である。理解され得る如く、開放用部材４７の基部は枢動の度合いを制限するようになっている傾斜部分４７ａを有する。この面は、図１１における傾斜面２６ａと厳密に同一の機能を有する。
【００３６】
主たる閉鎖は常に、留め具の分岐部４５と一体的な横手方向ロッド５５上で枢動する管材５４により提供される。この管材は、分岐部５３と一体的な結合用スタッド５６上に結合される。
【００３７】
図１４乃至図１６の変更実施例は、第一のに、結合用管材５８の枢動軸心は連結／結合リンク５７の枢動軸心と組合される一方でブレスレットの一端の第一のリンク５９は該連結／結合リンク５７の第二の関節結合用ピン６０の回りで枢動されるという点において前記各例と異なる。該連結／結合リンク５７の結合要素５７ａは、弾性戻し部材６２に委ねられるピストン６１の端部に結合される。図１５に示された如く、結合要素５７ａがピストン６１の前記端部に係合したとき、ピストン６１の他端は結合用管材５８に対して押圧され、結合用管材５８が枢動ロッド６３の回りで枢動するのを防止する。
【００３８】
この枢動ロッド６３を保持すべく、結合用管材５８の結合用スタッド６９の各側にては留め具の分岐部６５の端部に対して二つのヒンジ６４が固定される（図１６）。
【図面の簡単な説明】
【図１】該実施例の分解斜視図である。
【図２】各分岐部が折り畳まれた図１の留め具の斜視図である。
【図３】図２の３通りの異なる長手断面を通る３通りの図である。
【図４】図２の３通りの異なる長手断面を通る３通りの図である。
【図５】図２の３通りの異なる長手断面を通る３通りの図である。
【図６】各結合要素が分離された位置に在るという図３と同様の図である。
【図７】関節結合された各分岐部が拡開された位置に在るという図５と同様の断面図である。
【図８】図１乃至図７の留め具の変更実施例の分解斜視図である。
【図９】各結合要素が分離された位置に在るという図８の留め具の組立長手断面図である。
【図１０】関節結合された各分岐部が拡開された位置に在るという図８および図９の前記変更実施例の斜視図である。
【図１１】補助固定手段と本発明に係る留め具を調節する手段とを備えた変更実施例の長手断面図である。
【図１２】補助固定手段および調節手段を備えた留め具の更なる変更実施例の長手断面図である。
【図１３】補助固定手段を備えた更なる変更実施例の長手断面図である。
【図１４】補助固定手段が夫々分離かつ結合された位置に在るという該留め具の最終変更実施例の長手断面図である。
【図１５】補助固定手段が夫々分離かつ結合された位置に在るという該留め具の最終変更実施例の長手断面図である。
【図１６】図１５の上面図である。
【符号の説明】
１，２…分岐部
３…枢動ロッド
４…結合用スタッド
７，８…枢動ロッド
９…リンク部材
１０…結合用管材
１１…スピンドル
１３…アセンブリ要素
１４…関節結合用ロッド
１５…起動部材
１６…開放用レバー
１８…把持部材
２１…停止部
２２…スピンドル
２３…リンク要素
２４…カバー
２５…バー
２６，２７…分岐部
２８…調節可能スタッド
２９…ネジ
３０…結合用管材
３１…横手方向枢動ロッド
３２…調節部材
３３…連結リンク
３４…関節結合用ロッド
３５…バー
３６…リンク
３７…横手方向凹部
３８…結合用フィンガ
３９…結合用シリンダ
４０…把持要素
４１…結合用スタッド
４２…調節部材
４３…リンク部材
４４…枢動ロッド
４５…分岐部
４６…関節結合スピンドル
４７…開放用部材
４８…把持部材
４９…横手方向ロッド
５０…管材
５１…ハウジング
【図１】
0004091287.tif 000002
【図２】
0004091287.tif 000003
【図３】
0004091287.tif 000004
【図４】
0004091287.tif 000005
【図５】
0004091287.tif 000006
【図６】
0004091287.tif 000007
【図７】
0004091287.tif 000008
【図８】
0004091287.tif 000009
【図９】
0004091287.tif 000010
【図１０】
0004091287.tif 000011
【図１１】
0004091287.tif 000012
【図１２】
0004091287.tif 000013
【図１３】
0004091287.tif 000014
【図１４】
0004091287.tif 000015
【図１５】
0004091287.tif 000016
【図１６】
0004091287.tif 000017